(57)【要約】【課題】保持しやすく、剥離紙を剥がす際に穿刺部に指先が触れるおそれがなく、貼付後は剥離紙より容易に剥離可能であり、かつ、製造時における資材、廃材を少なくした止血用絆創膏及びその製造法の提供。【解決手段】支持体と粘着剤層とからなる粘着テープと、該粘着テープの粘着剤面に貼付されたパッドと、粘着テープの粘着剤面とパッドを被覆する剥離紙と、剥離面を外側にして二つ折りにされ、粘着テープと剥離紙との間に介在するように設けられた剥離紙片からなる止血用絆創膏であって、前記剥離紙片はその折り曲げ部が前記パッドに接し、あるいは近接して配置され、折り曲げ部を境に一方の片部が粘着テープに接着されるとともに他方の片部が前記剥離紙側に折り返されており、前記剥離紙側に折り返された片部側には粘着テープの端部より外側へ突出する摘み部が形成されていることを特徴とする止血用絆創膏。【選択図】  図６
2014195501.tif 000002
【特許請求の範囲】
【請求項１】
支持体と粘着剤層とからなる粘着テープと、該粘着テープの粘着剤面に貼付されたパッドと、粘着テープの粘着剤面とパッドを被覆する剥離紙と、剥離面を外側にして二つ折りにされ、粘着テープと剥離紙との間に介在するように設けられた剥離紙片からなる止血用絆創膏であって、前記剥離紙片はその折り曲げ部が前記パッドに接し、あるいは近接して配置され、折り曲げ部を境に一方の片部が粘着テープに接着されるとともに他方の片部が前記剥離紙側に折り返されており、前記剥離紙側に折り返された片部側には粘着テープの端部より外側へ突出する摘み部が形成されていることを特徴とする止血用絆創膏。
【請求項２】
前記摘み部の突出する方向が前記折り曲げ部と直交するように形成されていることを特徴とする請求項１に記載の止血用絆創膏。
【請求項３】
前記粘着テープの端部からの摘み部の突出長さが１ｍｍ〜２５ｍｍであることを特徴とする請求項１または２に記載の止血用絆創膏。
【請求項４】
前記二つ折りにされた剥離紙片の粘着テープに接着されている片部側の端部が、前記摘み部側の粘着テープの端部よりもやや突出するように設けられていることを特徴とする請求項１ないし請求項３のいずれか１項に記載の止血用絆創膏。
【請求項５】
粘着テープの粘着剤面にパッドを貼付し、剥離面を外側にして二つ折りされた剥離紙片を粘着テープの粘着剤面に貼り合わせ、粘着テープの粘着剤面の残りの露出面と剥離紙片の一部を被覆するように剥離紙を貼り合わせた後、前記剥離紙片に粘着テープの端部より外側へ突出する摘み部が形成されるようにカッターで打ち抜く工程を含み、該打ち抜き工程において少なくとも前記摘み部側の粘着テープの端部が切除されないことを特徴とする止血用絆創膏の製造方法。
【請求項６】
前記二つ折りされた剥離紙片を粘着テープの粘着剤面に貼り合わせる工程において、該剥離紙片の粘着テープに接着されている片部側の端部が、前記粘着テープの端部よりもやや突出するように貼り合わされることを特徴とする請求項５に記載の止血用絆創膏の製造方法。
【請求項７】
前記粘着テープのライン流れ方向に対して垂直方向への位置調整手段を有していることを特徴とする請求項５または６に記載の止血用絆創膏の製造方法。
【請求項８】
前記位置調整手段が、粘着テープをガイド可能な凹型ガイドと、粘着テープの流れ方向に対する垂直方向の位置を検知するためのセンサーと、該センサーにおいて読み取った粘着テープのずれを信号に変換する制御装置と、該信号を受信して凹型ガイドに製造ラインと垂直方向の力を加えて動かすアクチュエーターを備えていることを特徴とする請求項７に記載の止血用絆創膏の製造方法。
【請求項９】
前記位置調整手段の凹型ガイドが軸着部分にベアリングを設けたローラーを備えていることを特徴とする請求項８に記載の止血用絆創膏の製造方法。
【請求項１０】
前記センサーを前記剥離紙貼り合せ工程の直後に設置し、該センサーにより剥離紙片の端部と粘着テープの端部のずれを読み取ることを特徴とする請求項８または９に記載の止血用絆創膏の製造方法。
【請求項１１】
前記製剤打ち抜き工程におけるカッターの形状が、剥離紙片の一部に摘み部を形成するバルーン型であることを特徴とする請求項５ないし１０のいずれか１項に記載の止血用絆創膏の製造方法。
【発明の詳細な説明】
【技術分野】
【０００１】
本発明は、静脈注射、皮下注射、採血、点滴等を行った後の穿刺部を被覆保護する止血用絆創膏及びその製造法に関し、更に詳細には、使用時には剥離紙より容易に剥離可能であり、貼付しやすく、かつ、製造時における資材、廃材を少なくした止血用絆創膏及びその製造法に関するものである。
【背景技術】
【０００２】
従来、静脈注射や皮下注射、採血、点滴等の処置後においては、感染防止のため消毒綿や消毒ガーゼを穿刺部位に当てて、しばらく手で押さえることを行っていたが、近年は、粘着面の中央部にパッドを備えた小型の絆創膏を穿刺部位に貼付することにより、簡便に処置する方法が用いられるようになった。
【０００３】
しかし、この絆創膏は剥離シートの上にそのまま貼り付けられていたため、剥がしにくく、しかも剥がした際に粘着面同士がくっついてしまうことがあり、取り扱い性に難点があった。
【０００４】
上記の取り扱い性を改善した止血用絆創膏として、粘着シートの粘着剤層に穿刺部を保護するパッド材を定置し、これを剥離紙で被覆するとともに、二つ折りにした剥離紙小片を粘着シートと剥離紙との間に介在させたものが知られていた（特許文献１）。
【０００５】
この止血用絆創膏は、使用する際には二つ折りにした剥離紙小片の摘み部を指でつまんで粘着シートを剥離紙より剥がすことができるが（図８）、かかる摘み部の先端部は粘着テープの端部よりも内側に形成されているか、あるいは粘着テープの端部と一致するように形成されているため、指で保持しにくく、剥離紙を剥がす際に穿刺部に指先が触れてしまうおそれがあり、衛生上問題があった。さらに、皮膚に貼付後、剥離紙が摘み難いといった止血用絆創膏の使用感についても、改良の余地があった。
【０００６】
また、従来の製造方法は、粘着テープ（支持体と粘着基剤とを貼り合わせたもの）を繰り出す工程（粘着テープ繰り出し工程）、該粘着テープにパッドを貼り合わせ、打ち抜く工程（パッド貼り合わせ工程）、剥離紙と粘着テープとを貼り合わせる工程（剥離紙貼り合せ工程）、該貼り合せ工程後に製剤の形状にカッターで打ち抜く工程（製剤打ち抜き工程）が含まれているが、以下の問題があった。
【０００７】
すなわち、かかる従来の製造方法では、粘着テープに貼り合わせるパッドや剥離紙の貼合わせ位置を適切に維持するため、また、製剤打ち抜き工程において製剤の打ち抜き位置がずれることによって不良品等が発生しないように、製造ライン上に凹型ガイドを設置し、粘着テープのライン流れ方向の垂直方向の位置を固定していた。しかしながら、その位置には機械の特性上ごくわずかなずれが生じるために、図７（ａ）、（ｂ）に示すように、粘着テープ３１の両端にはそれぞれ、打ち抜き幅よりも１ｍｍ〜５ｍｍのマージンＸが必要であった。その結果、打ち抜き後、両側合わせて、２ｍｍ〜１０ｍｍの部分が無駄になり、打ち抜き後の残りの粘着テープは廃棄されていた（図７（ｃ））。
【０００８】
同様に、剥離シートについても、剥離シートを粘着テープに貼り合わせる際に、製造ラインに対し、垂直方向の粘着テープの位置のずれに対応するため、粘着テープよりも１ｍｍ〜５ｍｍの余裕が必要であった。そのため、製剤打ち抜き後の残りの剥離紙は、粘着テープの残部と同様に廃棄されていた。
【０００９】
以上の通り、製剤打ち抜き工程後に生じる粘着テープ、剥離紙等の残部の廃棄量を削減することによって、コストの削減や廃棄される資材の減量が求められていた。
【００１０】
【特許文献１】実開平３−３６６２７
【発明の概要】
【発明が解決しようとする課題】
【００１１】
そこで本発明は、従来の止血用絆創膏及びその製造方法のかかる欠点を克服し、指で保持しやすく、剥離紙を剥がす際に穿刺部に指先が触れるおそれがなく、貼付後は剥離紙より容易に剥離可能であり、かつ、製造時における資材、廃材を少なくした止血用絆創膏及びその製造法の提供をその課題とするものである。
【課題を解決するための手段】
【００１２】
本発明は、上記課題を解決するものであり、支持体と粘着剤層とからなる粘着テープと、該粘着テープの粘着剤面に貼付されたパッドと、粘着テープの粘着剤面とパッドを被覆する剥離紙と、剥離面を外側にして二つ折りにされ、粘着テープと剥離紙との間に介在するように設けられた剥離紙片からなる止血用絆創膏であって、前記剥離紙片はその折り曲げ部が前記パッドに近接して配置され、折り曲げ部を境に一方の片部が粘着テープに接着されるとともに他方の片部が前記剥離紙側に折り返されており、前記剥離紙側に折り返された片部側には粘着テープの端部より外側へ突出する摘み部が形成されていることを特徴とする止血用絆創膏である。
【００１３】
さらに本発明は、上記課題を解決するものであり、粘着テープの粘着剤面にパッドを貼付し、剥離面を外側にして二つ折りされた剥離紙片を粘着テープの粘着剤面に貼り合わせ、粘着テープの粘着剤面の残りの露出面と剥離紙片の一部を被覆するように剥離紙を貼り合わせた後、前記剥離紙片に粘着テープの端部より外側へ突出する摘み部が形成されるようにカッターで打ち抜く工程を含み、該打ち抜き工程において少なくとも前記摘み部側の粘着テープの端部が切除されないことを特徴とする止血用絆創膏の製造方法である。
【発明の効果】
【００１４】
本発明にかかる止血用絆創膏は、剥離紙の一部に粘着テープより外側へ突出する摘み部を設けたことにより、該摘み部を保持することで剥離紙を剥がす際に穿刺部に指先が触れるおそれがなく、貼付後に容易に剥離紙を剥がすことができる。
【００１５】
また、本発明にかかる止血用絆創膏の製造方法は、粘着テープの少なくとも一方の端部の切除が不要となるため、使用する資材の低減を図ることができる。
【００１６】
さらに、本発明にかかる止血用絆創膏の製造方法で、粘着テープのライン流れ方向に対して垂直方向への位置調整手段を備えたものは、剥離紙の端部と粘着テープの端部をより正確に一致させることができ、使用する資材の低減を図ることができる。
【図面の簡単な説明】
【００１７】
【図１】（ａ）本発明の止血用絆創膏の平面図、（ｂ）本発明の止血用絆創膏の断面図
【図２】（ａ）本発明の止血用絆創膏をカッターで打ち抜く前の状態を表す平面図、（ｂ）本発明の止血用絆創膏をカッターで打ち抜く前の状態を表す断面図、（ｃ）本発明の止血用絆創膏をカッターで打ち抜いた後の状態を表す断面図
【図３】本発明の止血用絆創膏の製造工程を模式的に表した図
【図４】（ａ）本発明に係る修正ガイドの側面図、（ｂ）本発明に係る修正ガイドの平面図
【図５】本発明の止血用絆創膏の打ち抜き用のカッター形状の実施態様
【図６】（ａ）本発明の止血用絆創膏の包装状態を表す断面図、（ｂ）本発明の止血用絆創膏の包装紙を開封した状態を表す断面図、（ｃ）本発明の止血用絆創膏を穿刺部に貼付後、剥離紙を剥離する時の状態を表す断面図、（ｄ）本発明の止血用絆創膏により穿刺部を被覆した状態を表す断面図
【図７】（ａ）従来の止血用絆創膏をカッターで打ち抜く前の状態を表す平面図、（ｂ）従来の止血用絆創膏をカッターで打ち抜く前の状態を表す断面図、（ｃ）従来の止血用絆創膏をカッターで打ち抜いた後の状態を表す断面図
【図８】従来の止血用絆創膏の剥離紙小片の摘み部を指でつまんで粘着シートを剥離紙より剥がす状態を表す図
【発明を実施するための形態】
【００１８】
以下、本発明の止血用絆創膏の実施態様を、図面に基づいて具体的に説明する。なお、本発明はこれら実施態様に何ら制約されるものではない。
【００１９】
図１（ａ）は本発明にかかる止血用絆創膏の平面図、図１（ｂ）は同断面図である。図に示すように、本発明の止血用絆創膏１は、支持体と粘着剤層とからなる粘着テープ１１と、該粘着テープ１１の粘着剤面に貼付されたパッド１２と、粘着テープ１１の粘着剤面とパッド１２を被覆するように形成された剥離紙１４と、二つ折りにされ粘着テープ１１と剥離紙１４との間に介在するように配置された剥離紙片１３からなる。
【００２０】
剥離紙片１３は剥離面を外側にして折り曲げ部１３ｂにおいて二つ折りにされており、該折り曲げ部１３ｂがパッド１２の端部に接し、あるいは近接して配置され、折り曲げ部１３ｂを境に一方の片部が粘着テープ１１に接着されるとともに、他方の片部が剥離紙１４側に折り返されている。
【００２１】
本実施態様では、剥離紙片１３の粘着テープ１１に接着されている片部側の端部１３ｃが粘着テープ１１の端部１１ａよりもやや外側へ突出するように設けられている。剥離紙片１３は、少なくとも端部１１ａ側の粘着面を被覆するように貼付すればよく、例えば、剥離紙片１３の端部１３ｃと粘着テープ１１の端部１１ａを一致させるように設けてもよい。ただし、本実施態様のように剥離紙片１３の端部１３ｃが粘着テープ１１の端部１１ａよりも突出して設けることにより、粘着テープ１１の接着剤がはみ出した場合も剥離紙１４側に折り返された剥離紙片１３の片部に付着することがなく、好ましい。さらに、剥離紙片１３の剥離紙１４側に折り返されている片部側には、粘着テープ１１の端部１１ａより更に外側へ突出する摘み部１３ａが形成されている。かかる摘み部１３ａを保持して剥離紙１４から粘着テープ１１を剥離し、穿刺部に貼付後、剥離紙片１３を粘着テープ１１より容易に剥離することができる。
【００２２】
摘み部１３ａを除く止血用絆創膏１全体の形状は、略円形に形成されているが、形状はこれに限らず、楕円形、正方形、長方形、角丸正方形、角丸長方形などに形成してもよい。また、摘み部１３ａの形状は、本実施態様では長方形に形成されているが、形状はこれに限らず、正方形、角丸正方形、角丸長方形、山型、半円形などの摘みやすい形状を適宜採用することができる。また、摘み部１３ａの突出長さについては、任意に設けることができるが、特に、粘着テープ１１の下端１１ａからの突出長さが１ｍｍ〜２５ｍｍの範囲で設けることが好ましく、特に１ｍｍ〜１４ｍｍの範囲で設けることが好ましい。さらに、摘み部１３ａの突出方向は、折り曲げ部１３ｂと直交するように形成するとより剥離しやすくなるため好ましい。
【００２３】
なお、本発明の止血用絆創膏１の粘着テープ１１の支持体は、従来から使用されているものでよく、例えば、プラスチックシ−ト、紙、布、不織布その他種々の材料を使用することができ、また、柔軟性、通気性のある材料や、肌の色と近い色味であるベージュ系のものを使用することが好ましい。
【００２４】
また、本発明の止血用絆創膏１の粘着テープ１１の粘着剤は、従来から使用されているものでよく、例えば、アクリル系、ゴム系、シリコン系、ビニル系、ポリビニルアルコール系等の粘着剤で形成され、適宜に酸化防止剤、充填剤、軟化剤、可塑剤、顔料、紫外線吸収剤など各種添加剤成分や経皮投与性の薬剤を含有させることができる。
【００２５】
さらに、本発明の止血用絆創膏１のパッド１２は、不織布、布、綿、圧縮綿、ガ−ゼ、その他吸液性を有するもの、あるいはそれらを組み合わせて使用することができる。なお、パッドに使用する不織布等は、必要に応じて滅菌消毒したものや、殺菌剤等を含浸させたものを使用しても良い。
【００２６】
さらに、本発明の止血用絆創膏１の剥離紙片１３、剥離紙１４は、剥離処理した紙以外にも、樹脂シート等の従来使用されているものを適宜採用することができる。
【００２７】
以下、図３により本発明の止血用絆創膏１の製造方法について説明する。なお、図２（ａ）は本発明の止血用絆創膏をカッターで打ち抜く前の状態を表す平面図、同２（ｂ）は本発明の止血用絆創膏をカッターで打ち抜く前の状態を表す断面図、同２（ｃ）は本発明の止血用絆創膏をカッターで打ち抜いた後の状態を表す断面図をそれぞれ示す。
【００２８】
図３に示すように、本発明の止血用絆創膏１の製造方法は、粘着テープ１１を繰り出す工程１０１、該粘着テープ１１にパッド１２を貼り合わせ、打ち抜く工程１０２、剥離紙片１３、剥離紙１４と粘着テープ１１を貼り合わせる工程１０３、該貼り合せ後に製剤の形状にカッターで打ち抜く工程１０４を含み、かつ、当該一連の工程は同一製造ラインで行うものであって、粘着テープ１１のライン流れ方向に対して垂直方向への位置を調整する手段２０１を有している。さらにこれらの工程の後には、止血用絆創膏１を個別にコーシール包装する工程１０５がある。
【００２９】
各工程について更に詳しく説明すると、まず、打ち抜き工程１０２においてパッド１２が帯状の資材より円形に打ち抜かれ、貼り合わせ工程１０２において粘着テープ１１の中央に間隔をあけて貼付される。次に貼り合わせ工程１０３において、二つ折りされた帯状の剥離紙片１３が折り曲げ部１３ｂをパッド１２に接し、あるいは近接して位置するように粘着テープ１１の粘着剤面に貼り合わされる。このとき、粘着テープ１１に接着されている片部の下端１３ｃが粘着テープ１１の端部１１ａよりもやや突出するように貼付されるが（図２ｂ）、剥離紙片１３の下端１３ｃは必ずしも突出して設ける必要はなく、少なくとも、端部１１ａ側の粘着剤面が剥離紙片１３により被覆されればよい。
【００３０】
次に、貼り合わせ工程１０３において、残りの粘着テープ１１の露出面と剥離紙片１３の二つ折りの一部を被覆するように、帯状の剥離紙１４を貼り合わせる。本実施態様では、剥離紙片１３側の端部１４ａが粘着テープ１１の端部１１ａと一致するように貼付されているが（図２ｂ）、必ずしもこれを一致させる必要はなく、例えば、粘着テープ１１の端部１１ａよりも内側へ適宜セットバックするように設けてもよい。
【００３１】
次に、上記の工程で貼り合わされた各部材が、製剤打ち抜き工程１０４において打ち抜き線１０に沿って製剤形状に打ち抜かれる。このとき、図２（ｂ）に示すように、打ち抜き線１０の最上部１０ａと粘着テープ１１の端部との間にはマージンＸが必要となる。しかしながら、反対側の端部１１ａは、打ち抜き線１０が摘み部１３ａを形成するように粘着テープ１１の幅を超えて剥離紙片１３側に突出するため、切除されるのは剥離紙片１３の端部（摘み部１３ａ側）のみであり、端部１１ａにおいて粘着テープ１１を切除する必要がなく、よって、マージンＸを作る必要もない。これにより、従来必要とされていた粘着テープの両端部のマージンのうち、少なくとも一方のマージン分１ｍｍ〜５ｍｍ幅の粘着テープについて使用量を軽減できる。さらに、端部１１ａは従来の円形に打ち抜かれた粘着テープよりも０ｍｍ〜２ｍｍの範囲で内側に位置するよう設けられているため、少なくとも、端部１１ａ側において合わせて１ｍｍ〜７ｍｍの幅で粘着テープ１１の使用量軽減が可能となる。
【００３２】
また、本発明の止血用絆創膏１の製造方法では、粘着テープ１１のライン流れ方向に対して、垂直となる方向への位置を調整する手段２０１を備える。該手段によって、機械の特性上生じる粘着テープ１１のずれを緩和することが可能となり、例えば、剥離紙片１３の粘着テープ１１側の端部１３ｃと粘着テープの端部１１ａとの位置関係を正確に管理することが可能となり、上述のように、止血用絆創膏打ち抜き後に生じる残部の廃棄量も減少させることができる。また、上記ずれによって生じる、粘着剤のはみ出しを防止することも可能である。
【００３３】
かかる位置調整手段としては、一例として、図４（ａ）、（ｂ）のように、センサー２０３、制御装置２０２、アクチュエーター２０１ａ、ベアリング２０１ｂ、ローラー２０１ｃ、凹型ガイド２０１ｄ、支持部２０１ｅを備える装置を使用できる。より詳しくは、製造ラインの両側に並行して垂設される一対の支持部２０１ｅの間にローラー２０１ｃが回転可能に架設され、さらに支持部２０１ｅの内側にはローラー２０１ｃとともに粘着テープ１１をガイド可能な凹部を形成する凹型ガイド２０１ｄを備えている。さらに、一方の支持部２０１ｅの側面には前記の各部材を粘着テープ１１の流れ方向に対して垂直方向に移動させるためのアクチュエーター２０１ａが設けられている。なお、ローラー２０１ｃの支持部２０１ｅに対する軸着部分にはベアリング２０１ｂを設けることにより、ラインを円滑に動かすことが可能となっている。
【００３４】
そして、粘着テープ１１の流れ方向に対する垂直方向の位置を検知するためのセンサー２０３を剥離紙貼り合せ工程１０３の直後に設置し、該センサーにより剥離紙片１３の端部１３ｃと粘着テープ１１の端部１１ａのずれを読み取り、ずれを制御装置２０２に伝達し、制御装置２０２において信号に変換し、位置調整手段２０１おいてずれが無く張り合わされるよう、アクチュエーター２０１ａに信号を送る。制御装置２０２より、信号を受信後、アクチュエーター２０１ａによって、製造ラインの進行方向と垂直になるように、ローラー２０１ｃを備えた凹型ガイド２０１ｄに力を加え、凹型ガイド２０１ｄ全体を動かすことで、これら端部のずれを防ぐことができる。
【００３５】
本発明の止血用絆創膏１の形状は、製剤打ち抜き工程１０４におけるカッターの形状を変えることにより、バルーン型、丸型、四角型など種々の形状（図５）に変更することができる。例えば、カッターをバルーン型の刃にした場合、剥離紙片１３の一部に摘み部１３ａを形成することができる。したがって、製剤打ち抜き工程におけるカッターの形状は、バルーン型であることが好ましい。また、該摘み部１３ａの形状や突出長さについても、製剤打ち抜き用のカッターの形状を変更することによって容易に変更可能である。
【００３６】
以下に、本発明の止血用絆創膏の貼付の実施態様について具体的に説明する。図６（ａ）は本発明の止血用絆創膏１が包装紙２により個別包装されている状態を表す。止血用絆創膏１を使用する際には、予め包装紙２を開封し、準備を行い、静脈注射や皮下注射、採血、点滴等を行った際に、注射針を刺した状態で次のように使用する。
【００３７】
止血用絆創膏１の一側をつかみ、包装紙に固定された剥離紙１４より引き剥がす（図６ｂ）。引き剥がした止血用絆創膏１を、パッド１２と穿刺部が重なり合うように皮膚に貼付し、止血用絆創膏本体を固定する（図６ｃ）。最後に、剥離紙片１３の摘み部１３ａをつかみ、剥離紙片１３を粘着シート１１からはがし、穿刺部が被覆保護された状態にする(図６ｄ)。
【００３８】
このように、予め包装用紙を開封しておけば、一連の操作を片手で行うことが可能であり、注射針を刺したまま、手や注射針が、穿刺部に触れることなく、皮膚に貼付することができる。更に、皮膚貼付後は、剥離紙片１３を摘むことで、剥がしやすくなり、従来の止血用絆創膏よりも格段に使用感がよい。
【００３９】
［実施例１］
上記の製造方法に従い、剥離紙片１３の摘み部１３ａの突出長さが５ｍｍになるように実施例１を製造した。
【００４０】
［実施例１］
上記の製造方法に従い、剥離紙片１３の掴み部１３ａの突出長さが１２ｍｍになるように実施例２を製造した。
【００４１】
［比較例１］
市販の止血用絆創膏（ニチバン株式会社インジェクションパッド）を比較例１とした。
【００４２】
［比較例２］
比較例１とは別の市販の止血用絆創膏（ニチバン株式会社インジェクションパッドマイルド）を比較例２とした。
【００４３】
（使用試験）
１群１０名の被験者により、摘み部を備えた剥離紙片の掴みやすさ、摘み部を備えた剥離紙片の貼付後の引き剥がしやすさ、総合的な使いやすさについてアンケートを行い、下記基準で評価した。
（評価方法）
使いやすい８名以上    ○
使いやすい５名〜７名  △
使いやすい５名未満    ×
【００４４】
表からわかるように、実施例１及び実施例２は、比較例１又は比較例２と比較して、剥離紙片１３の掴みやすさ又は剥離紙片１３の引き剥がしやすさで使用感がよく、総合評価からも使用感が良かった。このようなことから剥離紙片１３の摘み部１３ａは、粘着テープ１１の端部１１ａより外側へ突出していることが好ましく、その突出長さは１〜２５ｍｍが好ましく、特に１〜１４ｍｍが好適である。
【００４５】
【表１】
2014195501.tif 000003
【符号の説明】
【００４６】
１  …  …  止血用絆創膏
２  …  …  包装紙      
１１  …  …  粘着シート
１１ａ  …  …  端部
１２  …  …  パッド
１３  …  …  剥離紙片
１３ａ  …  …  摘み部
１３ｂ  …  …  折り曲げ部
１３ｃ  …  …  端部
１４  …  …  剥離紙
１４ａ  …  …  端部
３１  …  …  粘着シート
３１ａ  …  …  端部
３２  …  …  パッド
３３  …  …  剥離紙
３３ａ  …  …  摘み部
３３ｂ  …  …  折り曲げ部
３４  …  …  剥離紙
１０１  …  …  粘着テープを繰り出す工程
１０２  …  …  粘着テープにパッドを貼り合わせ、打ち抜く工程
１０３  …  …  剥離紙と粘着テープとを貼り合わせる工程
１０４  …  …  製剤の形状にカッターで打ち抜く工程
１０５  …  …  個別包装する工程
２０１  …  …  位置調整手段
２０１ａ  …  …  アクチュエーター
２０１ｂ  …  …  ベアリング
２０１ｃ  …  …  ローラー
２０１ｄ  …  …  凹型ガイド
２０１ｅ  …  …  支持部
２０２  …  …  制御装置
２０３  …  …  センサー
【図１】
2014195501.tif 000004
【図２】
2014195501.tif 000005
【図３】
2014195501.tif 000006
【図４】
2014195501.tif 000007
【図５】
2014195501.tif 000008
【図６】
2014195501.tif 000009
【図７】
2014195501.tif 000010
【図８】
2014195501.tif 000011